(57)【要約】  プロファイル（６）の内側に配置された、スイッチストリップ（１１，１２）を有する少なくとも１つのスイッチチャンバ（７）を備えた、共押出された安全接触ストリップ（１）では、プロファイル（６）の底面（２）の一方の端部（２４）は、第１の側面部分（３）に旋回可能に取り付けられており、底面（２）の他方の端部（２３）は、第２の側面部分（４）に形状接続的にロック可能である。
2021521596.tif 000002
【特許請求の範囲】
【請求項１】
プロファイルの内側に配置された、スイッチストリップを有する少なくとも１つのスイッチチャンバを備えた、共押出された安全接触ストリップであって、
前記プロファイル（６）の底面（２）の一方の端部（２４）は、第１の側面部分（３）に旋回可能に取り付けられており、前記底面（２）の他方の端部（２３）は、第２の側面部分（４）に形状接続的にロック可能であることを特徴とする、安全接触ストリップ。
【請求項２】
前記底面（２）は、ロック可能な前記端部（２３）と、旋回可能な前記端部（２４）との間の少なくとも所定の区分で、前記プロファイル（６）のその他の部分よりも硬質のプラスチックから成っている、請求項１記載の安全接触ストリップ。
【請求項３】
前記底面（３１）によって下面側の組付け脚部（３２）が形成されている、請求項１または２記載の安全接触ストリップ。
【請求項４】
前記底面（２）によって、前記プロファイル（６）の外面に、平坦な載置面（１７）が形成されている、請求項１または２記載の安全接触ストリップ。
【請求項５】
前記底面（２）は、前記プロファイル（６）の内側に、前記プロファイル（６）の長手方向延在で延びる少なくとも１つの溝（１８）を有している、請求項１から４までのいずれか１項記載の安全接触ストリップ。
【請求項６】
ロックのために、係止突起（２１，２２）と係止凹部とが設けられている、請求項１から５までのいずれか１項記載の安全接触ストリップ。
【請求項７】
前記第１の側面部分（３）に、ノッチ（２６）によって、ヒンジ状の旋回領域が形成される、請求項１から６までのいずれか１項記載の安全接触ストリップ。
【請求項８】
前記プロファイル（６）の長手方向延在で延びる通路（２０）を有している、請求項１から７までのいずれか１項記載の安全接触ストリップ。
【請求項９】
軟質の前記プラスチックは、ショアＡ７０までの硬度を有している、請求項２から８までのいずれか１項記載の安全接触ストリップ。
【請求項１０】
硬質の前記プラスチックは、ショアＤ４５までの硬度を有している、請求項２から９までのいずれか１項記載の安全接触ストリップ。
【請求項１１】
請求項２から１０までのいずれか１項記載の安全接触ストリップを固定するための方法であって、開放された底面（２）を閉鎖エッジ上に載置し、前記閉鎖エッジに接着、ねじ固定、またはピン固定し、前記安全接触ストリップ（１）を、前記プロファイル（６）の旋回により閉鎖することを特徴とする、方法。
【発明の詳細な説明】
【技術分野】
【０００１】
詳細な説明
本発明は、プロファイルの内側に配置された、スイッチストリップを有する少なくとも１つのスイッチチャンバを備えた、共押出された安全接触ストリップに関する。
【０００２】
安全接触ストリップは、多様な実施形態において公知であり、実証されている。安全接触ストリップは、主として、破砕点および剪断点において、閉鎖エッジ安全装置として使用される。ゲート、機械、およびハンドリング装置に取り付けて、このような安全接触ストリップにより、人間および材料が保護される。このために、公知の安全接触ストリップは、主として底面側で、アルミニウム支持プロファイル内で保持されていて、底面の上方で放物線状に、プロファイルがさらに延在している。このようなプロファイルが変形した場合には、導電性のスイッチストリップが接触し、この接触により、例えばゲートの運動工程を停止させるための信号が放出される。
【０００３】
国際公開第０１／４４６１１号により、冒頭で述べた形式の安全接触ストリップが公知であり、この公知の安全接触ストリップでは、プロファイル、スイッチチャンバ、およびスイッチレイヤが、それぞれ少なくとも１つの埋め込まれた金属導体を備えて一体的に、１つの導電性プラスチックから、共押出品として形成されている。
【０００４】
この安全接触ストリップの放物線状のプロファイルは、下面側で組付け脚部が突出している底面を有していて、この組付け脚部は、Ｃ字型の保持プロファイル内にクランプまたは挿入するために形成されている。
【０００５】
この公知の安全接触ストリップが数年来にわたって極めて有効であることが実証されてきたとは言え、製造技術的に良好に製作可能であり、できるだけ多面的に使用可能な安全接触ストリップを求める必要性は存在している。
【０００６】
この技術課題は、プロファイルの内側に配置された、スイッチストリップを有する少なくとも１つのスイッチチャンバを備えた、共押出された安全接触ストリップにおいて、請求項１によれば、底面の一方の端部は、プロファイルの第１の側面部分に旋回可能に取り付けられており、底面の他方の端部は、第２の側面部分に形状接続的にロック可能である構成により解決される。
【０００７】
本発明による安全接触ストリップは、プロファイルの内部に、少なくとも広い領域においてアクセスすることができるので、ここで、安全接触ストリップの組付け前、および組付け中も、例えばケーブル等を敷設することができるという利点を提供する。他方では、さらに後述するように、様々な目的のために簡単に、底面を構成することができる。
【０００８】
したがって、好適な構成では、底面は、ロック可能な端部と、旋回可能な端部との間の少なくとも所定の区分で、プロファイルのその他の部分よりも硬質のプラスチックから成っていることが特定されてよい。本発明によれば、安全接触ストリップに力が加えられた場合、このようなより硬質の底面は、プロファイルのその他の部分よりも明らかに変形が少なく、安全接触ストリップのスイッチ挙動は、実質的に、底面の上方のプロファイル構成により規定される。本発明による安全接触ストリップの第１の構成では、底面によって下面側の組付け脚部が形成される。このような組付け脚部を、剪断縁上の取付けプロファイル内に、または取付けプロファイル面に例えば、係止する、または被せ嵌めるもしくは挿入することができる。
【０００９】
しかしながら特に、底面によって、プロファイルの外面に、平坦な載置面が形成されていることが考えられる。これにより、本発明によれば、剪断縁上に直接、安全接触ストリップを載置することができる。これにより、特別な取付けプロファイルは不要となる。
【００１０】
このような平坦な底面は、例えば閉鎖エッジ上に直接接着することができる。付加的にまたは選択的に、このような安全接触ストリップを閉鎖エッジにねじ固定することができる。ねじによる、場合によってはピンによる、このような取付けのために、底面は、プロファイルの内側に、プロファイルの長手方向延在で延びる、ねじの配置を容易にする少なくとも１つの溝を有していると好適であることが示された。安全接触ストリップの底面をねじ固定した後は、プロファイルのその他の部分が底面に形状接続的にロックされてプロファイルが閉鎖されるまで、プロファイルのその他の部分を底面に向かって旋回させる。
【００１１】
ロックのために、係止突起と係止凹部とが設けられていて、これらの係止突起と係止凹部とは、安全接触ストリップが組付けられた状態であっても、接続が再び解除可能であり、これによりプロファイルの内部へのアクセスは維持されるように形成することができる。または、係止接続部は、これが破壊せずにはもはや解除できないように形成されてもよい。
【００１２】
旋回の場所は、好適には、第１の側面部分におけるノッチによって規定され、これによりここでヒンジ状の旋回領域が形成される。その点では、この場合、底面も少なくとも、所定の区分で、比較的軟質のプラスチックによって、少なくとも共に形成されている。
【００１３】
本発明による安全接触ストリップの構造的な構成では、プロファイルの長手方向延在で延びる通路がさらに設けられていてよく、この通路は例えば、ケーブル等を収容するために用いられ、特にエンドキャップのピンを収容するために用いられる。
【００１４】
底面が少なくとも所定の区分で、プロファイルのその他の部分よりも硬質のプラスチックから形成されているならば、プラスチックの硬度を使用目的に合わせて測定しなければならない。
【００１５】
現時点では、軟質のプラスチックは、ショアＡ７０の硬度までを有していて、もしくは硬質のプラスチックは、ショアＤ４５までの硬度を有していることが適当である。
【００１６】
本発明の本質を、例として縮尺通りではない横断面が示されている図面を参照してより詳しく説明する。
【図面の簡単な説明】
【００１７】
【図１】安全接触ストリップの第１の実施例を示す図である。
【図２】安全接触ストリップの第２の実施例を示す図である。
【００１８】
図１に示した安全接触ストリップ１は、底面２に接続された２つの側面部分３，４を有していて、これらの側面部分は、上面側でアーチ５によって接続されている。このように形成されたプロファイル６の内側で、スイッチチャンバ７は、この場合例えば、プロファイル６の内壁から間隔を置いて、ウェブ８〜１０で保持されている。この場合、アーチ状のウェブ１０は、側面部分３，４とほぼ同じ材料厚さを有しており、一方、アーチ５とウェブ８，９とは、アーチ状のウェブよりも明らかに減じられた材料厚さを有している。従来の形式で、非導電性プラスチックから成るスイッチチャンバ７内には、それぞれ１つの埋め込まれた金属性の導体１３，１４を備えた２つの導電性のスイッチストリップ１１，１２が、共押出により形成されている。
【００１９】
底面２は、一点鎖線で、矢印１６により示したように、側面部分３に旋回可能に接続されている。スイッチ機能は、比較的薄いアーチ５の負荷により、ウェブ８，９を介して発動されるので、側面部分３および底面２の角隅領域において旋回により発生する歪みは、スイッチチャンバ７の機能には影響しない。
【００２０】
この実施例では、底面２の下面は平滑平坦形成されているので、これにより保持ストリップを必要とせずに、閉鎖エッジ上に直接載置することができる載置面１７が形成される。
【００２１】
この場合特に、安全接触ストリップ１を閉鎖エッジにねじ固定することが想定されている。これは、底面２の開放状態で簡単に行われ、底面において、ねじの先端が、この場合、横断面Ｖ字型の溝１８に置かれる。この場合、組付け中に、安全接触ストリップ１の内室１９にアクセスすることができるので、ケーブル、ＬＥＤラインのようなライト付きストリップ等を、より問題なく敷設することができる。
【００２２】
これは場合によっては、プロファイル６の長手方向で延在する通路２０内で行われてもよい。
【００２３】
このような準備作業が完了すると、固定された底面２に向かってプロファイルのその他の部分が旋回されて、安全接触ストリップ１が閉鎖される。底面２の自由端部２３は、形状接続的に第２の側面部分４とロックされる。このために、この実施例では、２つの係止突起２１，２２が設けられており、これらの係止突起は、第２の側面部分４に設けられた相応の係止凹部内にロックされる。
【００２４】
一方では、閉鎖エッジとの確実なねじ固定を可能にするために、他方では側面部分３，４を所定の間隔を置いて補強するために、底面２の自由端部２３と、旋回領域を含む対向する端部２４との間の底面２の区分２５は、その他のプロファイル６のプラスチックよりも硬質のプラスチックから共押出される。
【００２５】
しかしながら、第１の側面部分３に対する底面２の旋回領域は、この実施例では、軟質のプラスチックから形成されており、これによりこの旋回領域の形成は容易になる。さらに、ノッチ２６がこの旋回領域を規定している。
【００２６】
図２の安全接触ストリップの実施例は、従来のように保持プロファイルに押し込まれるまたは挿入される組付け脚部３２を備えて底面３１が形成されている点でのみ、上記の実施例と異なっている。
【００２７】
選択的に、組付け脚部を、クランプ状に形成し、保持プロファイルを取り囲んでこれに固定することもできる。
【図１】
2021521596.tif 000003
【図２】
2021521596.tif 000004
【国際調査報告】
2021521596.tif 000005
2021521596.tif 000006
2021521596.tif 000007
2021521596.tif 000008
2021521596.tif 000009